(57)【要約】【課題】  本発明は、商用電源をスイッチングして、スイッチングトランスの二次側に定電圧を供給するスイッチング電源回路保護装置およびスイッチング電源回路保護方法に関するものである。【解決手段】  本発明は、スイッチングトランジスタに流れる電流に着目して、前記電流を電圧に変換することにより、比較回路の閾値と比較し、前記閾値を超えた時間当たりの回数を周波数としてマイクロコンピュータに送信して、マイクロコンピュータで受信した前記周波数により、スイッチングトランジスタを流れる過大電流とその過大となった電流の回数を演算することにより、予め決められた値を超えた場合、警報を発生させている。【選択図】    図１
2006054981.tif 000002
【特許請求の範囲】
【請求項１】
商用電源を整流・平滑した電圧を分圧する分圧抵抗を備えた整流回路と、
前記分圧された電圧によってオン・オフするスイッチングトランジスタと、
通電することによりエネルギーを蓄積する一次巻線と、前記一次巻線に発生する起電力を利用した帰還回路を介して前記スイッチングトランジスタをオフさせる前記一次巻線と同相である帰還巻線と、スイッチングトランスの一次電流を遮断することにより、前記蓄積されたエネルギーを二次側に放出して起電力を発生させるスイッチングトランスと、
二次巻線の出力電圧を平滑する定電圧発生回路と、
前記スイッチングトランジスタに通電された電流を抵抗によって電圧変換し、予め決められた閾値電圧と比較する比較回路と、
前記比較回路の出力を信号として送信する送信回路と、
から少なくとも構成されているスイッチング電源回路；
前記送信回路からの信号を受信する受信回路と、
前記受信回路で受信された信号の周波数を検出する周波数検出回路と、
予め前記周波数に対する閾値電流が記憶されている閾値電流記憶手段と、
前記スイッチングトランジスタに許容される電流のマージンが記憶されているマージン設定手段と、
前記周波数検出回路によって検出された周波数と前記閾値電流記憶手段に記憶されている閾値電流とによって、前記マージン設定手段に設定されている電流を超えたか否かを演算して判断する比較判断回路と、
から少なくとも構成されているマイクロコンピュータ；
前記比較判断回路によりスイッチングトランジスタに過大な電流が流れていると判断された場合、警報を発する警報装置；
から構成されていることを特徴とするスイッチング電源回路保護装置。
【請求項２】
前記マイクロコンピュータには、
前記閾値電圧を超えた回数である周波数を検出する周波数検出回路と、
前記スイッチングトランジスタの損失を決める周波数設定回路と、
前記周波数設定回路を基にして前記スイッチングトランジスタの損失を間接的に認識できる比較判断回路と、
を備えていることを特徴とする請求項１に記載されたスイッチング電源回路保護装置。
【請求項３】
前記マイクロコンピュータには、
前記スイッチングトランジスタを破壊および／または故障に至る閾値電流を予め設定するマージン設定手段と、
前記マージン設定手段に設定された電流を超えたか否かを演算して判断する比較判断回路と、
を備えていることを特徴とする請求項１に記載されたスイッチング電源回路保護装置。
【請求項４】
前記マイクロコンピュータには、
前記スイッチング電源回路の破壊および／または過大電流による危険状態を予め設定するマージン設定手段と、
前記マージン設定手段に設定された状態を超えたか否かを判断する比較判断回路と、
を備え、
前記スイッチング電源回路の整流回路には、
前記比較判断回路により前記マージン設定手段に設定された状態を超えた場合、前記スイッチングトランジスタの動作を停止するために設けられたラッチ回路を備え、
ていることを特徴とする請求項１に記載されたスイッチング電源回路保護装置。
【請求項５】
前記ラッチ回路は、外部からの解除信号により解除されることを特徴とする請求項４に記載されたスイッチング電源回路保護装置。
【請求項６】
商用電源、スイッチングトランジスタ、スイッチングトランスからなるスイッチング電源回路の保護方法において、
前記スイッチングトランジスタに通電された電流を電圧変換し、
前記電圧と予め決められた閾値電圧とを比較し、
前記閾値電圧を超えた回数からなる周波数と、前記閾値電圧を超える際の電流とによって決まる電流の総量が、予め決められた値になった場合、警報による警告またはスイッチング電源回路を遮断する信号を送出することを特徴とするスイッチング電源回路保護方法。
【請求項７】
前記閾値電圧は、軽負荷と重負荷によって異なる値であることを特徴とする請求項６に記載されたスイッチング電源回路保護方法。
【請求項８】
前記スイッチングトランジスタが破壊または故障する際の電流と、前記閾値電圧を超える回数からなる周波数との関係を予め記憶しておき、前記周波数がある規定値を超えた際にスイッチング電源回路の遮断または警報を送出することを特徴とする請求項６または請求項７に記載されたスイッチング電源回路保護方法。
【発明の詳細な説明】
【技術分野】
【０００１】
本発明は、商用電源をスイッチングする際の動作によって、スイッチングトランス内のエネルギーを充電および放電させ、前記スイッチングトランスの二次側に定電圧を供給するスイッチング電源回路保護装置およびスイッチング電源回路保護方法に関するものである。
【０００２】
本発明は、前記スイッチングトランスの一次巻線の通電をオン・オフさせるスイッチングトランジスタに通電させる電流、および予め決められた閾値を越えた回数をマイクロコンピュータに監視させ、所定の規定幅を超えた周波数（回数）で前記スイッチングトランジスタに印加された場合、マイクロコンピュータがリモートコントローラを通じて警報を報知するスイッチング電源回路保護装置およびスイッチング電源回路保護方法に関するものである。
【背景技術】
【０００３】
従来のスイッチング電源回路には、スイッチングトランスの二次側に電流検出回路を設け、所定以上の負荷電流が流れた場合に、一次側のスイッチング制御回路にフィードバックして、スイッチング動作を制限する方法がある。
【０００４】
また、従来のスイッチング電源回路には、その許容電力および垂下特性を利用し、二次側にある一定以上の電力消費があった場合に、一次側供給電力を減衰させて、スイッチング動作を制限する過電力保護機能を有するものがある。
【０００５】
さらに、マイクロコンピュータを使用したスイッチング電源回路の制御は、たとえば、特開平１１−６３４８３号公報がある。
【特許文献１】特開平１１−６３４８３号公報
【発明の開示】
【発明が解決しようとする課題】
【０００６】
しかし、前記保護機能は、二次側のフィードバック回路からのフィードバックや、一次側のスイッチングトランジスタのソース−ＧＮＤ間に接続されている電流検出抵抗からのフィードバックにより、成り行き制御をしているため、二次側の消費電流の変動や回路上の遅延等により、結果的に、二次側からのフィードバックにより、前記スイッチングトランジスタが、さらに、オン時間を長めようと動作して、通電電流が長くなる可能性がある。
【０００７】
前記通電電流が長くなる度合いによっては、保護回路が作動せず、スイッチングロスの増大等による発熱によって、経時的にスイッチングトランジスタが破損する恐れがあるが、スイッチングトランジスタの発熱、言い換えると、損失がどの程度であるかを認識する術がなかった。すなわち、前記スイッチングトランジスタは、破壊する前に、前記破壊等を予測することができなかった。
【０００８】
また、前記スイッチングトランジスタが破壊または故障に至るということは、その製品が動作しないということであり、たとえば、前記スイッチング電源回路を搭載したユニットで、給湯機を制御していた場合、前記スイッチング電源回路の故障により、使用者が修理完了までの数日間風呂に入れないという事態になる可能性がある。
【０００９】
さらに、スイッチングトランジスタやその周辺部品が発熱することによって、最悪の場合、発火や発煙を招き、使用者に危害が及ぶ可能性がある。
【００１０】
以上のような課題を解決するために、本発明は、スイッチングトランジスタに流れる電流および前記電流が閾値を超えた回数を監視することで、前記スイッチング電源回路の動作状態を精度良く把握し、スイッチング電源回路が完全に破壊または故障する前に警報により報知することで、前記スイッチング電源回路の交換時期を予測して、短時間で交換し、使用者に及ぼす不便や危険を最小限に防止するスイッチング電源回路保護装置およびスイッチング電源回路保護方法を提供することを目的とする。
【課題を解決するための手段】
【００１１】
（第１発明）
第１発明のスイッチング電源回路保護装置は、商用電源を整流・平滑した電圧を分圧する分圧抵抗を備えた整流回路と、前記分圧された電圧によってオン・オフするスイッチングトランジスタと、通電することによりエネルギーを蓄積する一次巻線と、前記一次巻線に発生する起電力を利用した帰還回路を介して前記スイッチングトランジスタをオフさせる前記一次巻線と同相である帰還巻線と、スイッチングトランスの一次電流を遮断することにより、前記蓄積されたエネルギーを二次側に放出して起電力を発生させるスイッチングトランスと、二次巻線の出力電圧を平滑する定電圧発生回路と、前記スイッチングトランジスタに通電された電流を抵抗によって電圧変換し、予め決められた閾値電圧と比較する比較回路と、前記比較回路の出力を信号として送信する送信回路とから少なくとも構成されているスイッチング電源回路；
前記送信回路からの信号を受信する受信回路と、前記受信回路で受信された信号の周波数を検出する周波数検出回路と、予め前記周波数に対する閾値電流が記憶されている閾値電流記憶手段と、前記スイッチングトランジスタに許容される電流のマージンが記憶されているマージン設定手段と、前記周波数検出回路によって検出された周波数と前記閾値電流記憶手段に記憶されている閾値電流とによって、前記マージン設定手段に設定されている電流を超えたか否かを演算して判断する比較判断回路とから少なくとも構成されているマイクロコンピュータ；
前記比較判断回路によりスイッチングトランジスタに過大な電流が流れていると判断された場合、警報を発する警報装置；
から構成されていることを特徴とする。
【００１２】
（第２発明）
第２発明のスイッチング電源回路保護装置は、第１発明のマイクロコンピュータに、閾値電圧を超えた回数である周波数を検出する周波数検出回路と、スイッチングトランジスタの損失を決める周波数設定回路と、前記周波数設定回路を基にして前記スイッチングトランジスタの損失を間接的に認識できる比較判断回路とを備えていることを特徴とする。
【００１３】
（第３発明）
第３発明のスイッチング電源回路保護装置は、第１発明のマイクロコンピュータに、スイッチングトランジスタを破壊および／または故障に至る閾値電流を予め設定するマージン設定手段と、前記マージン設定手段に設定された電流を超えたか否かを演算して判断する比較判断回路とを備えていることを特徴とする。
【００１４】
（第４発明）
第４発明のスイッチング電源回路保護装置は、第１発明のマイクロコンピュータに、スイッチング電源回路の破壊および／または過大電流による危険状態を予め設定するマージン設定手段と、前記マージン設定手段に設定された状態を超えたか否かを判断する比較判断回路とを備え、前記スイッチング電源回路の整流回路には、前記比較判断回路により前記マージン設定手段に設定された状態を超えた場合、前記スイッチングトランジスタの動作を停止するために設けられたラッチ回路を備えていることを特徴とする。
【００１５】
（第５発明）
第５発明のスイッチング電源回路保護装置は、第４発明におけるラッチ回路が外部からの解除信号により解除されることを特徴とする。
【００１６】
（第６発明）
第６発明のスイッチング電源回路保護方法は、商用電源、スイッチングトランジスタ、スイッチングトランスからなるスイッチング電源回路において、前記スイッチングトランジスタに通電された電流を電圧変換し、前記電圧と予め決められた閾値電圧とを比較し、前記閾値電圧を超えた回数からなる周波数と、前記閾値電圧を超える際の電流とによって決まる電流の総量が、予め決められた値になった場合、警報による警告またはスイッチング電源回路を遮断する信号を送出することを特徴とする。
【００１７】
（第７発明）
第７発明のスイッチング電源回路保護方法は、第６発明における閾値電圧が軽負荷と重負荷によって異なる値であることを特徴とする。
【００１８】
（第８発明）
第８発明のスイッチング電源回路保護方法は、第６発明または第７発明におけるスイッチングトランジスタが破壊または故障する際の電流と、前記閾値電圧を超える回数からなる周波数との関係を予め記憶しておき、前記周波数がある規定値を超えた際にスイッチング電源回路の遮断または警報を送出することを特徴とする。
【発明の効果】
【００１９】
本発明によれば、スイッチング電源回路の動作状態が精度良く把握することができるため、スイッチング電源回路の交換または修理時期が予測でき、使用者にかける不便や危険を最小限に済ませることができる。
【００２０】
本発明によれば、スイッチングトランジスタを流れる電流がある一定の閾値を超えた頻度により、警報を発するようになっているため、完全に破壊または故障する前に、対策を立てることができるため、使用者が長期間にわたって、スイッチング電源回路が組み込まれた装置を使用できないという不便がなくなる。
【００２１】
本発明によれば、スイッチングトランジスタを流れる電流の閾値は、スイッチングトランジスタが瞬間的に破壊に至らないレベルに設定することにより、完全に破壊または故障する前に警告が出されるために、使用者に危険が及ばないだけでなく、スイッチング電源回路の交換または修理を早く行うことができる。
【発明を実施するための最良の形態】
【００２２】
（第１発明）
第１発明のスイッチング電源回路保護装置は、定電圧を得る定電圧回路と、前記定電圧を得るための制御回路とから構成されているスイッチング電源回路と、前記スイッチング電源回路を制御するマイクロコンピュータと、前記マイクロコンピュータからの信号により警報を送出する警報装置とを備えている。
【００２３】
前記定電圧回路は、整流回路と、スイッチングトランジスタと、一次巻線と帰還巻線および二次巻線からなるスイッチングトランスと、定電圧整流回路とから構成されている。
【００２４】
整流回路は、商用電源を整流・平滑するとともに、前記平滑された電圧を分圧する分圧抵抗を備えている。スイッチングトランジスタは、前記分圧された電圧によってオンして、一次巻線に通電することにより、エネルギーを前記スイッチングトランスに蓄積させる。
【００２５】
前記一次巻線と同相である帰還巻線は、前記一次巻線に発生する起電力を利用した帰還回路を介して前記スイッチングトランジスタをオフさせる。スイッチングトランスは、前記一次巻線の一次電流を遮断することにより、前記蓄積されたエネルギーを二次側に放出して起電力を発生させる。前記二次巻線の出力電圧は、平滑されて定電圧を発生する。
【００２６】
前記制御回路は、前記スイッチングトランジスタに通電された電流を抵抗によって電圧変換し、予め決められた閾値電圧と比較する比較回路と、前記比較回路の出力を信号として送信する送信回路とから少なくとも構成されている。前記閾値電圧は、前記スイッチングトランジスタを流れる予め決められた電流値を越したことを示す信号として送信回路から送信される。
【００２７】
前記マイクロコンピュータは、前記信号受信回路と、前記閾値電圧を超えたことを示す信号の単位時間当たりの回数を検出する周波数検出回路と、前記閾値電圧を超えた際の閾値電流が記憶されている閾値電流記憶手段と、前記スイッチングトランジスタに許容される電流のマージンが記憶されているマージン設定手段と、スイッチングトランジスタの許容し得る電流であるか否かを判断する比較判断回路とから構成されている。
【００２８】
前記比較判断回路は、前記周波数検出回路によって検出された周波数と、前記閾値電流記憶手段に記憶されている閾値電流とによって、前記マージン設定手段に設定されている電流を超えたか否かを演算して判断する。
【００２９】
前記周波数（前記閾値電流を超えた単位時間当たりの回数）と閾値電流  （前記閾値電圧を超えた際の前記スイッチングトランジスタに流れる電流）との積が前記スイッチングトランジスタを破壊するか否かが決まる。すなわち、前記周波数と前記閾値電流との積は、前記スイッチングトランジスタを破壊しないマージンとなるマージン設定手段に設定されている。
【００３０】
警報装置は、たとえば、リモートコントローラ等に取り付けられており、前記比較判断回路によりスイッチングトランジスタに過大な電流が流れていると判断した場合、警報を発する。
【００３１】
第１発明は、スイッチングトランジスタに流れる電流に着目して、前記電流を電圧に変換することにより、比較回路の閾値電圧と比較し、前記閾値電圧を超えた時間当たりの回数を周波数としてマイクロコンピュータに送信して、マイクロコンピュータにより前記周波数を受信し、スイッチングトランジスタを流れる過大電流とその過大となった電流の回数を演算することにより、予め決められた値を超えた場合、警報を発生させている。すなわち、第１発明は、電源変動等による電流の誤差程度によって警報を発することがない。
【００３２】
（第２発明）
第２発明のスイッチング電源回路保護装置において、マイクロコンピュータには、閾値電圧を超えた回数である周波数を検出する周波数検出回路と、スイッチングトランジスタの損失を決める周波数設定回路と、前記周波数設定回路を基にして前記スイッチングトランジスタの損失を間接的に認識できる比較判断回路とを備えている。
【００３３】
前記比較判断回路は、前記スイッチングトランジスタを流れる過電流が閾値電圧を超えた回数であるため、前記回数である周波数の時間当たりを予め設定した周波数と比較している。前記比較判断回路は、前記設定された周波数を超えたと判断した場合に警報を送出するようにしている。
【００３４】
第２発明のスイッチング電源回路保護装置は、第１発明のように閾値電圧を超えた回数と、スイッチングトランジスタの過電流との積に着目するのではなく、閾値電圧を変えた回数のみによりスイッチングトランジスタの適否を判断している。
【００３５】
（第３発明）
第３発明のスイッチング電源回路保護装置は、マージン設定手段に設定されている電流の値が第１発明と異なっている。すなわち、前記マージン設定手段は、スイッチングトランジスタを破壊および／または故障に至る閾値電流が予め設定されている。
【００３６】
比較判断回路は、周波数検出回路および閾値電流記憶手段により、第１発明と同様に、単位時間当たりの過電流の量を演算し、前記過電流の量が前記マージン設定手段に設定された電流を超えたか否かを判断する。前記比較判断回路によって判断された信号は、警報装置により、単なる警報だけではなく、スイッチング電源装置に破壊または重大な故障が発生していることを使用者に告げる。
【００３７】
（第４発明）
第４発明のスイッチング電源回路保護装置は、スイッチングトランジスタを流れる電流ではなく、スイッチングトランジスタの電流から推測するスイッチング電源回路の破壊および／または過大電流による危険状態を予めマージン設定手段に設定されている点で、第３発明と異なっている。また、スイッチングトランジスタの動作を停止するラッチ回路が設けられている点で、第１発明から第３発明と異なっている。
【００３８】
比較判断回路は、前記マージン設定手段に設定されている設定値がスイッチング電源回路の破壊および／または過大電流であり、前記設定値を超えたか否かを判断している。また、前記ラッチ回路は、前記スイッチング電源回路における整流回路に設けられている。
【００３９】
前記ラッチ回路は、前記比較判断回路により前記マージン設定手段に設定された状態を超えた場合に前記スイッチングトランジスタの動作を停止するように働く。前記ラッチ回路は、確実に前記スイッチングトランジスタの動作を停止するために、電源をスイッチング電源の整流回路に設けられている。
【００４０】
（第５発明）
第５発明のスイッチング電源回路保護装置におけるラッチ回路は、スイッチング電源回路がいたずらに復帰しないようにラッチさせるとともに、スイッチングトランジスタの制御回路を遮断するようになっている。したがって、前記ラッチ回路を復帰するためには、外部からの解除信号により解除される。
【００４１】
（第６発明）
第６発明のスイッチング電源回路保護方法は、スイッチングトランジスタを流れる電流を電圧に変換し、前記変換された電圧と、予め決められた閾値電圧とを比較している。決められた時間内に、スイッチングトランジスタに流れる電流の総量は、前記閾値電圧を超えた回数と、前記閾値電圧を超えた際の電流とによって演算される。前記電流の総量は、予め決められた値を超えた場合、警報による警告またはスイッチング電源回路を遮断する信号を送出する。
【００４２】
（第７発明）
第７発明のスイッチング電源回路保護方法は、スイッチングトランジスタに流れる電流が負荷の重さによって変わることに着目している。すなわち、第７発明のスイッチング電源回路の保護方法は、前記スイッチング電源回路に接続する負荷の軽重により、前記閾値電圧を異なる値にしている。
【００４３】
（第８発明）
第８発明のスイッチング電源回路保護方法は、スイッチングトランジスタが破壊または故障する際の電流と、スイッチングトランジスタを流れる電流に基づく閾値電圧を超える回数からなる周波数との関係を予め記憶しておく。前記スイッチング電源回路は、前記周波数がある規定値を超えた際に、遮断または警報が送出される。
【実施例１】
【００４４】
図１は本発明の第１実施例であるスイッチング電源回路の保護装置を説明するための回路図と一部ブロック構成図である。図１において、スイッチング電源回路は、主に、商用交流電源を整流するブリッジダイオード１と、平滑コンデンサー２と、第１の分圧抵抗３と、第２の分圧抵抗４と、スイッチングトランジスタ５と、スイッチングトランス６と、帰還回路７と、フィードバック回路１０と、スイッチング制御回路１１と、比較回路１３と、フォトカプラ１４と、ラッチ回路１７とから少なくとも構成されている。
【００４５】
前記スイッチング電源回路は、前記フォトカプラ１４からの信号を受信するとともに、前記スイッチング電源回路を制御するマイクロコンピュータ１５と、前記マイクロコンピュータ１５からの信号により、警報を発する警報器を備えたリモートコントローラ１６とが少なくとも取り付けられている。
【００４６】
商用電源は、ブリッジダイオード１により整流された後、平滑コンデンサー２によって平滑される。前記平滑コンデンサー２には、直列に接続された第１の分圧抵抗３および第２の分圧抵抗４が並列に接続されている。スイッチングトランジスタ５は、前記第１の分圧抵抗３および第２の分圧抵抗４の分圧電圧によって、オンする。前記スイッチングトランジスタ５のオンは、スイッチングトランス６の一次巻線に通電し、前記通電中にスイッチングトランス６内にエネルギーが蓄積される。
【００４７】
スイッチングトランス６には、帰還巻線が前記一次巻線と同相に巻回されている。前記帰還巻線は、一次巻線に通電された電流に比例して、起電力を発生する。前記帰還巻線の起電力は、帰還回路７を通じてスイッチングトランジスタ５をオフにする。スイッチングトランジスタ５のオフは、一次巻線への通電を終了し、スイッチングトランス６に対するエネルギーの蓄積が終了する。
【００４８】
前記スイッチングトランス６内に蓄積されたエネルギーは、次に、スイッチングトランス６の二次側へエネルギーを放出しようとする。前記エネルギーの放出は、負荷に対する電力を供給する。二次側に発生した起電力は、ダイオード８を通じて平滑コンデンサー９にチャージされる。
【００４９】
一方、帰還巻線に発生した起電力は、一次巻線への通電終了とともに減衰し、やがて前記第１の分圧抵抗３および第２の分圧抵抗４の分圧電圧によって、再びスイッチングトランジスタ５をオンにする。上述の動作は、以後繰り返されることにより、二次側に定電圧電源を供給する。
【００５０】
前記スイッチング動作の中で、二次側のフィードバック回路１０は、二次側の電圧がある一定以上上昇すると、一次側へフィードバックし、スイッチング制御回路１１を通じてスイッチングトランジスタ５をオフさせる方向に働く。また、一次側のシャント抵抗１２は、スイッチングトランジスタ５が通電すると、その両端電圧を上昇させる。
【００５１】
前記シャント抵抗１２にかかる電圧は、スイッチング制御回路１１にフィードバックされて、スイッチングトランジスタ５をオフにする方向に働く。前記シャント抵抗１２およびフィードバック回路１０は、一連のスイッチング動作を微調整するものである。
【００５２】
次に、本発明のスイッチング電源回路の保護機能について動作を説明する。まず、スイッチングトランジスタ５に流れる電流、すなわち、シャント抵抗１２に流れる電流は、電圧に変換され、比較回路１３へ入力する。比較回路１３は、予め設定された閾値が存在しており、前記閾値を越えない場合、通常のスイッチング動作を継続する。
【００５３】
比較回路１３は、前記設定された閾値を変えた場合、出力の論理が反転し、フォトカプラ１４を通電させてマイクロコンピュータ１５に信号として伝達される。
【００５４】
前記フォトカプラ１４からの信号を受信したマイクロコンピュータ１５は、比較回路１３で設定した閾値から信号を受信した場合、どの程度以上の電流がスイッチングトランジスタ５に印加されたかを予め記憶させておき、かつ受信した周波数、すなわち、時間当たりの回数により、前記スイッチングトランジスタ５の損失を演算することにより間接的に認識する。
【００５５】
前記比較回路１３は、スイッチングトランジスタ５が安全に動作する閾値の範囲が設定されている。マイクロコンピュータ１５は、前記比較回路１３から前記設定範囲を越えた場合、リモートコントローラ１６を通じて警報を発生する。
【００５６】
前記スイッチング電源回路は、何らかの原因により、発火や発煙等、使用者にとって重大な危害を及ぼす恐れがある。前記スイッチング電源回路は、前記場合を防ぐために、スイッチングトランジスタ５を流れる電流がある特定条件を満たす場合、ラッチ回路１７を用いて、スイッチングトランジスタ５のスイッチング動作を停止させる。
【００５７】
前記ラッチ回路１７の出力は、スイッチング制御回路１１に入力され、スイッチングトランジスタ５をオフさせる。その後、前記ラッチ回路１７は、ラッチ回路１７の論理が解除されるまで、スイッチングトランジスタ５のオフ状態を続け、一度停止動作を行うと、人為的に操作をしない限り、復帰できないようになっている。
【実施例２】
【００５８】
図２は本発明の第２実施例で、マイクロコンピュータの機能を説明するためのブロック構成図である。図２において、マイクロコンピュータ１５は、受信回路１５１と、周波数検出回路１５２と、閾値電流記憶手段１５３と、マージン設定手段１５４と、比較判断回路１５５と、ラッチ回路解除信号送出手段１５６とから少なくとも構成されている。
【００５９】
前記受信回路１５１は、図１に示されているフォトカプラ１４の信号を受信する。前記周波数検出回路１５２は、前記フォトカプラ１４からの信号が時間当たりに何回送信されてくるかを周波数として検出する。前記閾値電流記憶手段１５３は、図１に示されているスイッチングトランジスタ５を流れる閾値電流が記憶されている。
【００６０】
前記マージン設定手段１５４は、前記スイッチングトランジスタ５を流れる電流がどの程度印加された場合に、前記スイッチングトランジスタ５が故障または破壊されるかを考慮して、前記故障または破壊される前であると認識できる予め決められた値が設定されている。前記マージン設定手段１５４に設定される電流の値は、前記スイッチングトランジスタ５の性能、その他の条件等を実験により決める。
【００６１】
比較判断回路１５５は、前記周波数検出回路１５２の閾値を越えた回数と、前記スイッチングトランジスタ５に流れる閾値電流とに基づいて、前記マージン設定手段１５４に設定された値になっているか否かを調べる。前記比較判断回路１５５は、前記閾値電流を基に演算された値が前記マージン設定手段１５４に設定されている値を越えていると判断した場合、その値により、リモートコントローラ１６から警報を発するか、あるいはラッチ回路１７により、スイッチング電源回路のスイッチング制御回路１１を停止させる。
【実施例３】
【００６２】
図３は本発明の第３実施例で、マイクロコンピュータの機能を説明するためのブロック構成図である。図３において、マイクロコンピュータ１５は、受信回路１５１と周波数検出回路１５２を備えている点で、第２実施例と同じである。第３実施例は、前記回路以外に、比較判断回路３５１と、周波数設定回路３５２を備えている点で、第２実施例と異なる。
【００６３】
前記周波数設定回路３５２は、前記スイッチングトランジスタ５に印加される電流の閾値を予め設定しておき、前記閾値を越えた回数の限度を周波数として設定している。したがって、前記比較判断回路３５１は、第２実施例のように前記周波数と閾値電流を演算することなく、予め周波数設定回路３５２に設定されている周波数と比較し、ある一定の範囲を越えた場合、前記スイッチングトランジスタ５にある一定以上の電流が印加されていると判断して、リモートコントローラ１６から警報を発生する。
【産業上の利用可能性】
【００６４】
以上、本発明の実施例を詳述したが、本発明は、前記実施例に限定されるものではない。そして、本発明は、特許請求の範囲に記載された事項を逸脱することがなければ、種々の設計変更を行うことが可能である。本発明の実施例に記載されたブロック構成図は、公知または周知の技術により達成できるものである。また、スイッチング電源回路は、本実施例に記載されたものだけではなく、公知または周知のものに適用できる。
【図面の簡単な説明】
【００６５】
【図１】本発明の第１実施例であるスイッチング電源回路の保護装置を説明するための回路図と一部ブロック構成図である。（実施例１）
【図２】本発明の第２実施例で、マイクロコンピュータの機能を説明するためのブロック構成図である。（実施例２）
【図３】本発明の第３実施例で、マイクロコンピュータの機能を説明するためのブロック構成図である。（実施例３）
【符号の説明】
【００６６】
１・・・ブリッジダイオード
２・・・平滑コンデンサー
３・・・第１の分圧抵抗
４・・・第２の分圧抵抗
５・・・スイッチングトランジスタ
６・・・スイッチングトランス
７・・・帰還回路
８・・・ダイオード
９・・・平滑コンデンサー
１０・・・フィードバック回路
１１・・・スイッチング制御回路
１２・・・シャント抵抗
１３・・・比較回路
１４・・・フォトカプラ
１５・・・マイクロコンピュータ
１６・・・リモートコントローラ
１７・・・ラッチ回路
１５１・・受信回路
１５２・・・周波数検出回路
１５３・・・閾値電流記憶手段
１５４・・・マージン設定手段
１５５・・・比較判断回路
１５６・・・ラッチ回路解除信号送出手段
３５１・・・比較判断回路
３５２・・・周波数設定回路
【図１】
2006054981.tif 000003
【図２】
2006054981.tif 000004
【図３】
2006054981.tif 000005